(57)【要約】【課題】体型の異なる使用者がそのまま使用しても、自然な正座姿勢を安定して維持できる正座椅子を提供する。【解決手段】座面１３が大腿支持部１３ａと臀部支持部１３ｂとからなる座部１２と、前記座部１２を支持する座部支持部１４とからなる。大腿支持部１３ａの下方において前記座部支持部１４の底面１８に前後方向にのみ外方へ緩やかに湾曲させた湾曲部分１８ａを形成し、使用者がその体型にかかわらず前記座部１２の下に下腿Ｂを入れて着座する時に前記湾曲部分１８ａが床面Ｆに当接するように構成する。【選択図】図１
2004216145.tif 000002
【特許請求の範囲】
【請求項１】
座面（１３）が大腿支持部（１３ａ）と臀部支持部（１３ｂ）とからなる座部（１２）と、前記座部（１２）を支持する座部支持部（１４）とからなる正座椅子において、大腿支持部（１３ａ）の下方において前記座部支持部（１４）の底面（１８）に前後方向にのみ外方へ緩やかに湾曲させた湾曲部分（１８ａ）を形成し、使用者がその体型にかかわらず前記座部（１２）の下に下腿（Ｂ）を入れて着座する時に前記湾曲部分（１８ａ）が床面（Ｆ）に当接するように構成した正座椅子。
【発明の詳細な説明】
【技術分野】
【０００１】本発明は、長時間正座をする時に使用する正座椅子に関するものである。
【背景技術】
【０００２】近年腹筋、背筋等抗重力筋の筋力低下による腰痛に悩まされている人が増加している。正座は背筋を伸ばし腰痛防止に効果があることは一般的に知られているが、正座をする時に下腿及び足に直接大腿から頭までの体重がかかることにより、下腿及び足を圧迫して血液の循環が妨げられ痺れの原因となっていた。そこで従来から法事等では、一時的な使用を目的とした臀部のみを浮かせる尻当て等が一部で使用されているが、後述する理由で不安定であるか、自然な正座姿勢がとれない。【０００３】  近年、使用者が自分に適した座部の設定ができる平板を折曲し、上部に座部を、下部に基台を一枚の板にて形成した椅子本体の座部及び基台にそれぞれ連結ボルトを設け、この連結ボルトにターンバックルを螺設し、このターンバックルを回転させることにより座部の傾斜角及び高さを変更できる正座椅子が考案せれている。【０００４】又、座部と座部を高さ調節可能に取り付ける座椅子基台とから構成され、正座時には座椅子基台に下腿を当接するようになっているものもある。
【特許文献１】特開２００１−１１２５７９公報（第頁図１）
【特許文献２】特開２０００−３１６６７１公報（第頁図１）
【特許文献３】特開平１０−１１３２５４公報（第頁図１）
【非特許文献１】国新産業「バランスチェアカタログ」国新産業株式会社
【発明の開示】
【発明が解決しようとする課題】
【０００５】しかしながら【特許文献１】に開示された正座椅子では使用者が、自分の体型に合わせて座部を最適状態に設定しなければならないので不特定の人が使用するのに適さない。又、正座姿勢では両足は臀部の下に位置するが、この正座椅子では臀部の下で基台が接地するため両足は外方向に離して座らなくてはならず自然な姿勢にならない。【０００６】
【特許文献２】
【特許文献３】
【非特許文献１】に開示された正座椅子では、下腿を座部と基台の間に入れて腰掛けるようになっているので、安定が良く、足は臀部の真下に納まり、自然な姿勢になるが、そのため基台は下腿より一回り大きくなり容易に使用場所を変えることが出来なくなる。又、一旦基台の上に下腿を入れてしまえば位置の修正さえ出来ない。
【課題を解決するための手段】
【０００７】上記の問題点を解消するために、本発明に係る座椅子は、座面が大腿支持部と臀部支持部とからなる座部と、前記座部を支持する座部支持部とからなる正座椅子において、大腿支持部の下方において前記座部支持部の底面に前後方向にのみ外方へ緩やかに湾曲させた湾曲部分を形成し、使用者がその体型にかかわらず、前記座部の下に下腿を入れて着座する時に前記湾曲部分が床面に当接するように構成されてなることを特徴とする。
【発明の効果】
【０００８】請求項１に記載の発明による正座椅子は、体型が異なる不特定の人が使用しても、湾曲部分の接地点が変わることでその都度座部の設定をすることなく安定した正座姿勢がとれる。又、成長期に該正座椅子を使用すれば体の成長に応じて何ら設定しなおすことなく安定した正座姿勢がとれ、腰痛になりにくい正しい姿勢が自然と身につく。構造がシンプルで安価に製作出来、耐久性に優れコンパクトなため随所で使用でき、使用場所における位置の修正も椅子と同様に容易にできる。正座時に大腿支持部の下方で床面に当接できるので、臀部の下にスペースが出来、両足が自然な形で臀部の下に納まる。
【発明を実施するための最良の形態】
【０００９】
【実施例１】
【００１０】以下本発明の実施形態を図面に基づいて説明する。
実施例１に係る正座椅子１０は図１から図２に示すように座面１３が大腿支持部１３ａと臀部支持部１３ｂとからなる座部１２と、前記座部１２を支持する座部支持部１４とからなっている。座部支持部１４は底面前方を湾曲させ、底面後方を平坦に成形した前後支持板１５と高さ方向１３０ｍｍ、左右方向１８０ｍｍの略四角形の左右支持板１６を十文字に交差させ、左右支持板１６の底面と前後支持板１５の湾曲した底面前方に、前後方向にのみ緩やかに外方向に湾曲している底板１７が固着されており、底板１７の底面１８ａと前後支持板１４の底面平坦部分１８ｂにより支持部の底面１８は段差なく構成されている。底板１７は外側において半径３００ｍｍの曲率で成形された成形合板を素材とし、正座時において左右の安定を実現しつつ、図３のように左右の下腿の間隙に納まる様略台形状にトリミングして作られている。座部１２は合板を素材とした前後方向２４０ｍｍ、左右方向３２０ｍｍの略四角形の板状部材で、上記座部支持部１４の前後支持板１５と左右支持板１６の上面に固着されており、平坦に成形した底面平坦部分１８ｂが床面Ｆに当接したときの座面１３が床面Ｆに対して９度の角度で前傾するよう構成されている。座部１２にはクッションを載せても使用してもよいし、クッションを固着してもよい。
【実施例２】
【００１１】実施例２に係る正座椅子２０では座部２２が図４のように後端を下方に折曲されて折曲部２３ｃを形成し、図４のように底板２７が湾曲部分２８ａから後方に平坦に延長され平坦部２８ｂを形成し、該平坦部は図５のように左右の足の間隙に納まる様略三角形にトリミングされている。
【実施例の作用】
【００１２】次に、前述した本発明による正座椅子の作用を図６から図９で、臀部Ｄのみを浮かせる尻当て３０との比較において詳細に説明する。図９に示すように正座時の下腿Ｂの間隙は足首から膝方向の間隙が大きい。図６、図７のごとく臀部Ｄのみを浮かせる尻当て３０は左右の足首から爪先方向の間隙に底面３８が位置するので、底面３８において左右の長さを大きくとれば図７のように左右の下腿Ｂと足Ｃは臀部Ｄの外にはみだし自然な正座姿勢がとれない。一方左右の長さを小さくとれば左右に不安定になる。又、使用者の体型の違いによる大腿Ａの前傾角度の違いに対応するためには臀部Ｄのみしか支持出来ず、座面３３の前後において十分な長さがとれない。そのため座面３３の面積は不十分で快適な座り心地は得られない。
【００１３】本発明による正座椅子では、使用者は大腿支持部１３ａの下方において前記座部支持部１４の底面１８に前後方向にのみ外方へ緩やかに湾曲させた湾曲部分１８ａを形成し、使用者が例えば畳面等床面Ｆの上で大腿Ａと下腿Ｂを折り曲げ正座をする際に、座部１２を大腿Ａと下腿Ｂの間に挟み込みながら着座すると着座時に座部１２は大腿Ａの裏側に沿って前傾し前記座部支持部１２が湾曲部分１８ａで床面Ｆに当接するため、足首から膝方向の間隙に左右方向に十分な長さをもつ湾曲部分１８ａを形成でき、左右の安定が確保されながら左右の足Ｃが臀部支持部１３ｂの下に納まり自然な正座姿勢がとれる。重心が後方に移れば支持部底面１８後方の平坦部１８ｂで床Ｆに当接し安定する。
加えて座部１２の前傾に伴って骨盤が自然に前傾し脊椎がＳ字カーブ（図示せず）を形成する理想的な姿勢を長時間保持できる。
【００１４】座部１２の前傾角度の最適化について図８、図１０に基づいて詳述する。
使用者が着座した状態で座部１２が大腿Ａの裏に沿って傾動するので、図８に示すように、脚の長い人が使用した時は座部１２が大腿Ａの裏側に沿って比較的小さな角度で前傾することで安定した正座姿勢がとれる。逆に図１０に示すように、脚が短い人が使用した時は座部１２が大腿Ａｓの裏側に沿って比較的大きな角度で前傾することで安定した正座姿勢がとれる。
このように体型が異なる不特定の人が該正座椅子を使用するときも、それぞれが自分の体型に合わせて座部１２の角度を調整することなく着座した時点で座部支持部１４の湾曲部分１８ａが転動し、異なる接地点で床面Ｆに当接することで結果として使用者にとって最も安定する位置で床面Ｆに当接する。
【００１５】  実施例２に係る正座椅子２０では、座部２２は図４のように後端を下方に折曲させてなるため、正座時に坐骨を折曲部２３ｃに係止させて座部２２の前傾によって臀部が滑ろうとするのに抗する効果がある。底板２７は図４のように前方の湾曲部分２８ａから後方に平坦に延長され平坦部２８ｂを形成し、該平坦部は図５のように左右の足Ｃの間隙に納まる様略三角形にトリミングされており、左右の足Ｃが臀部支持部１３ｂの下に納まり、後方に重心が移動して床面Ｆに当接したとき接地面積が広いため床面Ｆに対して加重が分散される。
【産業上の利用分野】
【００１６】
【図面の簡単な説明】
【００１７】
【図１】本発明の実施例１に係る正座椅子の透視斜視図
【図２】図１に示す正座椅子の側面図
【図３】図１に示す正座椅子の座部支持部の底面透視図
【図４】実施例２に係る正座椅子の側面図
【図５】図１に示す正座椅子の座部支持部の底面透視図
【図６】既存の尻当てに人が着座した様子を示す説明図
【図７】既存の尻当てに人が着座した時の下腿及び足の様子を示す説明図
【図８】本発明による正座椅子に脚の長い人が着座した様子を示す説明図
【図９】本発明による正座椅子に脚の長い人が着座した時の下腿及び足の様子を示す説明図
【図１０】脚の短い人が本発明による正座椅子に着座した様子を示す説明図
【符号の説明】
【００１８】１２：座部
１３ａ：大腿支持部
１３ｂ：臀部支持部
１４：座部支持部
１７：底板
１８ａ：湾曲部分
１８ｂ：平坦部分
【図１】
2004216145.tif 000003
【図２】
2004216145.tif 000004
【図３】
2004216145.tif 000005
【図４】
2004216145.tif 000006
【図５】
2004216145.tif 000007
【図６】
2004216145.tif 000008
【図７】
2004216145.tif 000009
【図８】
2004216145.tif 000010
【図９】
2004216145.tif 000011
【図１０】
2004216145.tif 000012